(57)【特許請求の範囲】
【請求項１】
映像信号の連続するフィールドより、フィールド数変換処理における繰り返しに係る同一フィールドを検出する映像信号処理装置において、
画素単位で又は所定のブロック単位で、前記映像信号の動きベクトルを検出する動きベクトル検出手段と、
前記動きベクトル検出手段で検出された動きベクトルより、フィールド単位で、動き判定基準値以下の動きベクトルの個数を計算し、該個数が第１の個数判定基準値以上のフィールドを検出する第１のフィールド検出手段と、
連続するフィールド間で、前記動きベクトル検出手段で検出された動きベクトル間の差分値を検出する差分値検出手段と、
フィールド単位で、差分値判定基準値以下の前記差分値の個数を計算し、該個数が第２の個数判定基準値以上のフィールドを検出する第２のフィールド検出手段と、
前記第２のフィールド検出手段で該当するフィールドが検出された後、続くフィールドが前記第１のフィールド検出手段により該当するフィールドと検出された場合に、前記第１のフィールド検出手段により検出されたフィールドを前記繰り返しに係る同一フィールドと判定する判定手段と
を備えることを特徴とする映像信号処理装置。
【請求項２】
映像信号の連続するフィールドより、フィールド数変換処理における繰り返しに係る同一フィールドを検出する映像信号の処理方法において、
画素単位で又は所定のブロック単位で、前記映像信号の動きベクトルを検出する動きベクトル検出のステップと、
前記動きベクトル検出のステップで検出された動きベクトルより、フィールド単位で、動き判定基準値以下の動きベクトルの個数を計算し、該個数が第１の個数判定基準値以上のフィールドを検出する第１のフィールド検出のステップと、
連続するフィールド間で、前記動きベクトル検出のステップで検出された動きベクトル間の差分値を検出する差分値検出のステップと、
フィールド単位で、差分値判定基準値以下の前記差分値の個数を計算し、該個数が第２の個数判定基準値以上のフィールドを検出する第２のフィールド検出のステップと、
前記第２のフィールド検出のステップで該当するフィールドが検出された後、続くフィールドが前記第１のフィールド検出のステップにより該当するフィールドと検出された場合に、前記第１のフィールド検出のステップにより検出されたフィールドを前記繰り返しに係る同一フィールドと判定する判定のステップと
を有することを特徴とする映像信号の処理方法。
【請求項３】
請求項２に記載の映像信号の処理方法によるプログラムである
ことを特徴とする映像信号の処理方法のプログラム。
【発明の詳細な説明】
【０００１】
【発明の属する技術分野】
本発明は、映像信号処理装置、映像信号の処理方法及び映像信号の処理方法のプログラムに関し、例えば２−３プルダウン方式により作成された映像信号より２−３プルダウン方式のフィールドシーケンスを検出する場合に適用することができる。本発明は、動きベクトルの大きさを基準にした繰り返しに係る同一フィールドの検出と、フィールド間における動きベクトル差分値を基準にした同一フィールドの直前フィールドの検出とに基づいて、例えば２−３プルダウン方式における繰り返しに係る同一フィールドを判定することにより、従来に比して一段と精度良くフィールドシーケンスを検出することができるようにする。
【０００２】
【従来の技術】
従来、テレシネ装置は、２−３プルダウン方式により２４〔コマ／秒〕の映画フィルムより６０〔フィールド／秒〕の映像信号を生成するようになされている。
【０００３】
すなわちこの２−３プルダウン方式においては、図４に示すように、映画フィルムによる２コマより５フィールドの映像信号ＶＳを生成する処理を繰り返すことにより、フィールド数を変換してＮＴＳＣ方式による映像信号ＶＳを生成する。このためテレシネ装置では、映画フィルムの２コマ毎に、同一コマの撮像を繰り返して撮像結果を処理することにより、５フィールド毎に、１フィールドだけ間を開けて、同一のフィールドが繰り返されてなるように映像信号ＶＳを生成するようになされている。なおこの図４において、この繰り返しに係る同一フィールドをハッチングにより示す。
【０００４】
これによりこのようにして作成された映像信号ＶＳにおいては、連続するフィールドで動きが不連続となる欠点があり、例えば特開平５−１８３８８４号公報、特開平８−２３７６９４号公報においては、このような２−３プルダウン方式におけるフィールドシーケンスを検出して不連続な動きを補正するようになされている。
【０００５】
図５は、この特開平５−１８３８８４号公報に開示のフィールドシーケンス検出回路を示すブロック図である。このフィールドシーケンス検出回路１において、フレームメモリ（ＦＭ）２は、映像信号ＶＳを一時保持して出力することにより、映像信号ＶＳを１フレーム分だけ遅延させて出力する。
【０００６】
減算回路３は、フレームメモリ２の入出力信号を順次減算し、絶対値化回路４は、この減算回路３の出力信号を絶対値化して出力する。積算回路５は、フィールド周期のフィールドクロックＦＣＫを基準にして絶対値化回路４の出力値を各フィールド毎に累積加算し、累積加算結果を出力する。比較回路（ＣＯＭ）６は、この積算回路５より出力される累積加算結果を所定の比較基準値により判定し、これにより繰り返しに係る同一フィールドで論理０に立ち下がる判定結果を出力する。これによりフィールドシーケンス検出回路１は、対応するフィールド間で各画素の差分値を検出して繰り返しに係る同一フィールドを検出するようになされている。
【０００７】
レジスタ（Ｒ）７Ａ〜７Ｅは、フィールドクロックＦＣＫを基準にしてこの判定結果を順次転送し、オア回路８は、これらレジスタ７Ａ〜７Ｅの出力の論理和を出力する。インバーター９は、最終段のレジスタ７Ｅの出力を受け、論理値を反転して出力する。アンド回路１０は、レジスタ７Ａ〜７Ｅの出力、オア回路８の出力、インバーター９の出力を受け、これら出力の論理積をフィールドシーケンス検出結果Ｓ１として出力する。これによりフィールドシーケンス検出回路１においては、繰り返しに係る同一フィールドが５フィールド毎に繰り返される２−３プルダウン方式の規則性を有効に利用して誤検出を防止するようになされている。
【０００８】
これに対して図６は、特開平８−２３７６９４号公報に開示のフィールドシーケンス検出回路であり、このフィールドシーケンス検出回路１１では、動きベクトルを基準にしてフィールドシーケンスを検出する。すなわちこのフィールドシーケンス検出回路１１において、前置フィルタ１３は、映像信号ＶＳを構成する輝度信号ＶＳＹが選択的に入力され、動きベクトル検出時におけるエラーを低減するために、この輝度信号ＶＳＹを帯域制限して出力する。
【０００９】
フレームメモリ（ＦＭ）１４は、この輝度信号ＶＳＹを一次保持して出力することにより、輝度信号ＶＳＹを１フレーム分だけ遅延させて出力する。動きベクトル検出回路１５は、このフレームメモリ１４より出力される輝度信号ＶＳＹを基準にして前置フィルタ１３から出力される輝度信号ＶＳＹの動きベクトル（Ｖｘ，Ｖｙ）を検出する。なお動きベクトル検出回路１５は、例えばマクロブロック単位で輝度信号ＶＳＹの動きベクトル（Ｖｘ，Ｖｙ）を検出する。
【００１０】
比較回路（ＣＯＭ）１６は、動きベクトル（Ｖｘ，Ｖｙ）に対応する２次元の動き判定基準値（α、β）により、動きベクトル（Ｖｘ，Ｖｙ）の大きさを判定し、動き判定基準値（α、β）より動きベクトル（Ｖｘ，Ｖｙ）が小さい場合に、入力された動きベクトル（Ｖｘ，Ｖｙ）をそのまま出力する。
【００１１】
多数決回路１７は、比較回路１６より出力される動きベクトル（Ｖｘ，Ｖｙ）をフィールド単位で集計することにより、各フィールドで最も検出回数の多い動きベクトル（Ｖｘ，Ｖｙ）の個数を検出し、この個数が所定値以上か否か判断する。これにより多数決回路１７は、動きベクトルが値０近傍に集中するフィールドの検出により繰り返しに係る同一フィールドを検出する。
【００１２】
遅延回路（ＤＬ）１８は、この多数決回路１７の判定結果を５フィールド分遅延して出力し、判定回路１９は、この遅延回路１８の入出力を比較し、比較結果をフィールドシーケンス検出結果Ｓ１により出力する。これによりこのフィールドシーケンス検出回路１１においても、繰り返しに係る同一フィールドが５フィールド毎に繰り返される２−３プルダウン方式の規則性を有効に利用して誤検出を有効に回避するようになされている。
【００１３】
【発明が解決しようとする課題】
ところで特開平５−１８３８８４号公報に開示のフィールドシーケンス検出回路１においては、対応するフィールド間で各画素の差分値を検出して繰り返しに係る同一フィールドを検出することにより、このようにして繰り返されるフィールド間に動きがあると、フィールドシーケンスを正しく検出できなくなる。
【００１４】
これに対してこのような映像信号ＶＳを生成するテレシネ装置においては、同一コマの撮像を繰り返してこの繰り返しに係る同一フィールドを作成し、また映画フィルムのコマ送り時に、モータの回転むら、ギヤ等の機械的要因により、ぶれが発生する場合があり、これによりこのような繰り返しに係る同一フィールドで動きが発生する場合がある。
【００１５】
これにより特開平５−１８３８８４号公報に開示のフィールドシーケンス検出回路１においては、ぶれによりフィールドシーケンスを正しく検出できなくなる問題があった。
【００１６】
これに対して特開平８−２３７６９４号公報に開示のフィールドシーケンス検出回路１１においては、比較回路１６における動き判定基準値（α、β）の設定により、このようなぶれによるフィールドシーケンスの誤検出を防止することができる。すなわちコマ送り時のぶれにおいては、小さなものであることにより、動き判定基準値（α、β）の設定により、ぶれ程度の値の小さな動きベクトルだけを選択的に処理するようにして、ぶれによる誤検出を防止することができる。またこのようなぶれにあっては、コマの連続する方向（すなわち表示画像の縦方向である）に発生することによっても、動き判定基準値（α、β）において、横方向の判定基準値αを小さく設定して、ぶれによる誤検出を防止することができる。
【００１７】
しかしながらこのように設定すると、却ってぶれに対して敏感になり、これより却ってフィールドシーケンスを誤検出する問題がある。また連続するフィールドで動き速度が低速度の場合には、繰り返しに係る同一フィールドを誤検出し、これによりフィールドシーケンスを誤検出する問題がある。さらに動きベクトルを誤検出した場合にも、同様に、フィールドシーケンスを誤検出する問題がある。
【００１８】
本発明は以上の点を考慮してなされたもので、従来に比して一段と精度良くフィールドシーケンスを検出することができる映像信号処理装置及び映像信号の処理方法を提案しようとするものである。
【００１９】
【課題を解決するための手段】
かかる課題を解決するため請求項１の発明においては、映像信号の連続するフィールドより、フィールド数変換処理における繰り返しに係る同一フィールドを検出する映像信号処理装置に適用して、画素単位で又は所定のブロック単位で、映像信号の動きベクトルを検出する動きベクトル検出手段と、動きベクトル検出手段で検出された動きベクトルより、フィールド単位で、動き判定基準値以下の動きベクトルの個数を計算し、該個数が第１の個数判定基準値以上のフィールドを検出する第１のフィールド検出手段と、連続するフィールド間で、動きベクトル検出手段で検出された動きベクトル間の差分値を検出する差分値検出手段と、フィールド単位で、差分値判定基準値以上の差分値の個数を計算し、該個数が第２の個数判定基準値以下のフィールドを検出する第２のフィールド検出手段と、第２のフィールド検出手段で該当するフィールドが検出された後、続くフィールドが第１のフィールド検出手段により該当するフィールドと検出された場合に、第１のフィールド検出手段により検出されたフィールドを繰り返しに係る同一フィールドと判定する判定手段とを備えるようにする。
【００２１】
また請求項２の発明においては、映像信号の連続するフィールドより、フィールド数変換処理における繰り返しに係る同一フィールドを検出する映像信号の処理方法に適用して、画素単位で又は所定のブロック単位で、映像信号の動きベクトルを検出する動きベクトル検出のステップと、動きベクトル検出のステップで検出された動きベクトルより、フィールド単位で、動き判定基準値以下の動きベクトルの個数を計算し、該個数が第１の個数判定基準値以上のフィールドを検出する第１のフィールド検出のステップと、連続するフィールド間で、動きベクトル検出のステップで検出された動きベクトル間の差分値を検出する差分値検出のステップと、フィールド単位で、差分値判定基準値以下の差分値の個数を計算し、該個数が第２の個数判定基準値以上のフィールドを検出する第２のフィールド検出のステップと、第２のフィールド検出のステップで該当するフィールドが検出された後、続くフィールドが第１のフィールド検出のステップにより該当するフィールドと検出された場合に、第１のフィールド検出のステップにより検出されたフィールドを繰り返しに係る同一フィールドと判定する判定のステップとを有するようにする。
【００２２】
また請求項３の発明においては、映像信号の処理方法のプログラムに適用して、請求項３に記載の映像信号の処理方法によるプログラムであるようにする。
【００２３】
請求項１の構成によれば、映像信号の連続するフィールドより、フィールド数変換処理における繰り返しに係る同一フィールドを検出する映像信号処理装置に適用して、画素単位で又は所定のブロック単位で、映像信号の動きベクトルを検出する動きベクトル検出手段と、動きベクトル検出手段で検出された動きベクトルより、フィールド単位で、動き判定基準値以下の動きベクトルの個数を計算し、該個数が第１の個数判定基準値以上のフィールドを検出する第１のフィールド検出手段とを有することにより、この第１のフィールド検出手段によって、本来、動きの無い繰り返し係る同一フィールドを検出することができる。また連続するフィールド間で、動きベクトル検出手段で検出された動きベクトル間の差分値を検出する差分値検出手段と、フィールド単位で、差分値判定基準値以下の差分値の個数を計算し、該個数が第２の個数判定基準値以上のフィールドを検出する第２のフィールド検出手段とを備えることにより、この第２のフィールド検出手段により、本来、動きベクトルの差分値が０である繰り返しに係る同一フィールドの直前フィールドを検出することができる。これにより第２のフィールド検出手段で該当するフィールドが検出された後、続くフィールドが第１のフィールド検出手段により該当するフィールドと検出された場合に、第１のフィールド検出手段により検出されたフィールドを繰り返しに係る同一フィールドと判定する判定手段を備えることにより、その分、従来に比して検出精度を向上することができる。すなわち第２のフィールド検出手段で検出される直前のフィールドにおいては、同一のコマより取得されるフィールド間で検出される動きベクトルの差分値であることにより、コマ送りがぶれた場合でも、ほぼ値０となり、これにより第１のフィールド検出手段における動き判定基準値を緩やかにする等して、ぶれに対する感度を低くすることができる。また動きが遅い場合に、第１のフィールド検出手段において誤検出した場合でも、第２のフィールド検出手段においては、正しく検出することができる。また動きベクトル検出において誤りが発生した場合でも、１フィールド後においてはエラーによる偏位量が少ないことにより、従来に比して検出精度を向上することができる。
【００２５】
これにより請求項２又は請求項３の構成によれば、従来に比して一段と精度良くフィールドシーケンスを検出することができる映像信号の処理装置、映像信号の処理方法又は映像信号の処理方法のプログラムを提供することができる。
【００２６】
【発明の実施の形態】
以下、適宜図面を参照しながら本発明の実施の形態を詳述する。
【００２７】
（１）第１の実施の形態
（１−１）第１の実施の形態の構成
図１は、本発明の実施の形態に係るフィールドシーケンス検出回路を示すブロック図である。このフィールドシーケンス検出回路２１において、図６について説明したフィールドシーケンス検出回路１１と同一の構成は、対応する符号を付して示し、重複した説明は省略する。
【００２８】
このフィールドシーケンス検出回路２１において、動きベクトル検出回路１５は、８画素×８ラインのマクロブロックを単位にして、例えばブロックマッチングの手法により動きベクトル（Ｖｘ，Ｖｙ）を検出する。これにより動きベクトル検出回路１５は、１フィールドで、２７００個の動きベクトル（Ｖｘ，Ｖｙ）を検出する。また比較回路１６においては、動き判定基準値（α、β）を（±ｌ画素、±２ライン）とした。これらによりこのフィールドシーケンス検出回路２１においては、動き判定基準値（α、β）以下の動きベクトル（Ｖｘ，Ｖｙ）を順次検出するようになされている。
【００２９】
累算比較回路２２は、このようにして検出される動き判定基準値（α、β）以下の動きベクトル（Ｖｘ，Ｖｙ）の個数γをフィールド単位で計算し、この個数γが所定の判定基準値γ１以上か否か判定して判定結果を出力する。ここでこの判定基準値γ１は、１フィールドのブロック数２７００個に対して、２０００とした。これによりフィールドシーケンス検出回路２１においては、繰り返しに係る同一フィールドと判断されるフィールドを動きベクトルの大きさを基準にして検出するようになされている。
【００３０】
遅延回路２３は、動きベクトル検出回路１５で検出される動きベクトル（Ｖｘ，Ｖｙ）を１フィールド遅延させて出力する。差分回路２４は、この遅延回路２３の入出力間で差分値を計算することにより、連続して検出される動きベクトル（Ｖｘ，Ｖｙ）について、フィールド間の差分値を計算する。これによりフィールドシーケンス検出回路２１は、動きベクトル（Ｖｘ，Ｖｙ）の時間軸方向の偏位量Δ（Ｖｘ，Ｖｙ）を計算する。
【００３１】
比較選択回路２５は、差分回路２４の出力値Δ（Ｖｘ，Ｖｙ）と、この出力値に対応する所定の差分値判定基準値（α２、β２）と比較し、この差分値判定基準値（α２、β２）以下の出力値Δ（Ｖｘ，Ｖｙ）を選択出力する。累算比較回路２６は、比較選択回路２５より出力される出力値Δ（Ｖｘ，Ｖｙ）の個数をフィールド単位で計算し、この個数βが所定の判定基準値β１以上か否か判定して判定結果を出力する。これにより比較選択回路２５は、動きベクトル（Ｖｘ，Ｖｙ）の生成基準のコマを等しくしてなるフィールドの連続を検出するようになされている。
【００３２】
すなわち図２に示すように、２−３プルダウン方式によるフィールド間において、繰り返しに係る同一フィールド（ハッチングにより示す）の直前の２フィールドにおいては、同一コマによる撮像結果が動きベクトルの検出基準に設定され、さらに同一のコマの撮像結果より生成されることにより、それぞれ値０以外の動きベクトルａ及びｂが計算される場合であっても、これら動きベクトルａ及びｂの差分値Δ（ａ−ｂ）においては、殆ど値０となる。またこのような差分値Δ（ａ−ｂ）においては、コマ送りにぶれが発生している場合でも、極めて０に近い値となり、むろん画像自体の動きが小さな場合でも、極めて０に近い値となる。
【００３３】
これによりこのような差分値Δ（ａ−ｂ）が殆ど０となるようなフィールドに続くフィールド２ＯＤＤ、４ＥＶＥＮにおいては、繰り返しに係る同一フィールドと判断することができる。
【００３４】
これによりこの実施の形態では、上述した累算比較回路２２における判定結果と併せて、この判定方法を採用し、フィールドシーケンスを検出する。このようにすれば、その分、従来に比して、動き速度が低速度の場合でも、繰り返しに係る同一フィールドの誤検出を防止することができる。また比較回路１６における判定基準（α、β）をその分緩やかに設定して、ぶれに対する感度を低減することができる。また動きベクトルの検出に誤りが発生した場合でも、１フィールド後のエラー偏位量は少ないことにより、図６について説明したように、１つのフィールドを判定対象に設定して動きベクトルｃだけで繰り返しに係る同一フィールドを検出する場合に比して、動きベクトルの誤検出による繰り返しに係る同一フィールドの誤検出も有効に回避することができる。
【００３５】
これにより判定回路２７は、累算比較回路２２及び２６の出力を判定し、直前のフィールドで、判定基準値（α２、β２）以下である動きベクトル（Ｖｘ，Ｖｙ）の差分値Δ（Ｖｘ，Ｖｙ）が個数βが所定値β１以上の場合であって、かつ判定基準（α、β）以下の動きベクトル（Ｖｘ，Ｖｙ）の個数γが所定個数γ１以上であるフィールドを検出し、このフィールドを繰り返しに係る同一フィールドと判定してフィールドシーケンス検出結果Ｓ１を出力する。
【００３６】
（１−２）第１の実施の形態の動作
以上の構成において、このフィールドシーケンス検出回路２１においては、２−３プルダウン方式により生成された映像信号のうち、輝度信号ＶＳＹが前置フィルタ１３に入力され、ここで動きベクトル検出時に誤りが発生しないように、帯域制限される。この輝度信号ＶＳＹは、続くフレームメモリ１４において、１フレーム分遅延され、これによりこのフレームメモリ１４に入力される輝度信号ＶＳＹの偶数フィールド及び奇数フィールドに対して、それぞれ対応する直前の偶数フィールド及び奇数フィールドが生成される。これら対応する１組の輝度信号ＶＳＹは、動きベクトル検出回路１５に入力され、ここで８×８画素毎に、動きベクトル（Ｖｘ、Ｖｙ）が検出される。
【００３７】
このようにして検出される動きベクトル（Ｖｘ、Ｖｙ）は、比較回路１６で所定の動き判定基準値（α、β）以下の、０近傍のものが選択され、累算比較回路２２で各フィールド毎に、この動き判定基準値（α、β）以下の動きベクトルの個数が計算され、この計算された個数γが所定の判定基準値以上のフィールドで、判定結果が立ち上げられる。これによりフィールドシーケンス検出回路２１では、本来動きが０である２−３プルダウン方式の繰り返しに係る同一フィールドが動きベクトルの大きさを基準にして検出される。
【００３８】
このようにして検出される繰り返しに係る同一フィールドにおいては、動きベクトルの大きさを基準にして検出されることにより、輝度信号ＶＳＹで動きが少ない場合には、他のフィールドが誤って検出されることになる。またこのような誤検出を防止するために、動き判定基準値（α、β）を小さくすると、コマ送りによるぶれによって本来検出されるべきフィールドが検出されなくなり、これによりぶれに対して敏感になる。また動きベクトルの誤検出によっても、影響を受けることになる。
【００３９】
フィールドシーケンス検出回路２１では、このような動きベクトルの大きさを基準にしたフィールドの判定に加えて、動きベクトル検出回路１５より出力される動きベクトルが遅延回路２３で１フィールド分遅延され、続く差分回路２４でこの遅延された動きベクトルと元の動きベクトルとの間で差分値が検出される。この差分値は、続く比較選択回路２５において、差分値判定基準値（α２、β２）と比較され、この差分値判定基準値（α２、β２）以下の差分値が累算比較回路２６で各フィールド毎に計算される。さらにこの計算された個数βが判定基準値β１以上場合に、２−３プルダウン方式の繰り返しに係る同一フィールドの直前フィールドと判定される。これによりフィールドシーケンス検出回路２１では、動きベクトルの差分値を基準にして、繰り返しに係る同一フィールドの直前フィールドが検出される。
【００４０】
このようにして検出される直前フィールドに係る動きベクトルの差分値においては、同一コマより作成されたフィールド間で計算されることにより、コマ送りにぶれがある場合でも、また元の映画フィルム上で動きがある場合でも、ほぼ値０となる。これによりこの実施の形態では、確実に繰り返しに係る同一フィールドの直前フィールドを検出することができる。
【００４１】
フィールドシーケンス検出回路２１では、このようにして異なる手法による検出結果が判定回路２７で判定され、これにより繰り返しに係る同一フィールドが検出される。従ってこの検出結果においては、２系統により検出した分、従来に比して高い精度によりフィールドシーケンスを検出することができる。すなわち動きベクトルの差分値によりフィールドを判定する分、動き判定基準値を緩やかに設定してぶれに対する感度を低くすることができる。また動きが遅い場合に、動きベクトル側で誤検出した場合でも、差分値側においては、正しく同一フィールドを検出することができ、その検出精度を向上することができる。また動きベクトル検出において誤りが発生した場合でも、１フィールド後においてはエラーによる偏位量が少ないことにより、従来に比して検出精度を向上することができる。
【００４２】
（１−３）第１の実施の形態の効果
以上の構成によれば、動きベクトルの大きさを基準にした繰り返しに係る同一フィールドの検出と、フィールド間における動きベクトル差分値を基準にした同一フィールドの直前フィールドの検出とに基づいて、２−３プルダウン方式における繰り返しに係る同一フィールドを判定することにより、従来に比して一段と精度良くフィールドシーケンスを検出することができる。
【００４３】
（２）第２の実施の形態
図３は、勾配法による動きベクトル検出回路を示すブロック図である。この動きベクトル検出回路４１は、例えば動きベクトルを用いた動き内挿により映像信号における動きの不連続性を補正する装置（例えば特開平１−３０９５７号公報、特開平３−２８０６８１号方向）に適用される。
【００４４】
この動きベクトル検出回路４１において、初期偏位ベクトル選択回路４３は、動きベクトルメモリ４２に記録された既に検出済の動きベクトルより、初期偏位ベクトルＶ０を選択して出力する。ここで初期偏位ベクトルＶ０は、処理対象のフィールドの動きベクトルを計算する際に使用される初期値である。初期偏位ベクトル選択回路４３は、動きベクトルメモリ４２に記録された既に検出済の動きベクトルをこの初期偏位ベクトルＶ０の候補として受け、これらの候補より初期偏位ベクトルＶ０を選択して出力する。ここでこの候補としては、処理対象のフィールドにおいて、動きベクトル検出対象のブロックに対して、既に動きベクトルを検出してなる隣接ブロックの動きベクトル（例えばラスタ走査において処理対象のブロックに比して速い時点で走査されるブロックの動きベクトル）、前フィールドにおける動きベクトルの平均値等が適用される。初期偏位ベクトル選択回路４３は、これら各候補の動きベクトルのうちで最も予測誤差の小さなものを選択して初期偏位ベクトルＶ０に設定する。
【００４５】
勾配法演算回路４４は、このようにして計算される初期偏位ベクトルを用いて前フィールド及び対象フィールドの画像データを演算処理することにより、初期偏位ベクトルＶ０に対して、処理対象フィールドにおける動きベクトルの偏位ベクトルＶａを計算する。加算回路４５は、この偏位ベクトルＶａを初期偏位ベクトルＶ０と加算し、これにより処理対象フィールドの動きベクトルＶ０＋Ｖａを計算する。
【００４６】
メモリ書き込み制御回路４６は、このようにして計算される動きベクトルにより動きベクトルメモリ４２の記録を更新すると共に、図示しない内挿回路等に動きベクトルを出力する。この処理においてメモリ書き込み制御回路４６は、フィールドシーケンス検出回路２１で検出されるフィールドシーケンスに従って、２−３プルダウン方式の繰り返しに係る同一フィールドについては、動きベクトルメモリ４２の更新を中止する。
【００４７】
すなわち図２を用いて説明したように、２−３プルダウン方式の繰り返しに係る同一フィールドにおいては、本来、値０の動きベクトル（動きベクトル（ｃ）及び（ｈ））が検出される。これに対して勾配法による動きベクトルの検出においては、それまでのフィールド等で検出されている動きベクトルを基準にして動きベクトルを検出することにより、この同一フィールドに続くフィールドにおいては、値０の動きベクトルを基準にして動きベクトルを検出することになる。これによりこのような繰り返しに係る同一フィールドの動きベクトルを、他のフィールドで検出される動きベクトルと同様に処理して動きベクトルを検出したのでは、動きが大きい場合に、検出精度が著しく劣化することになる。
【００４８】
しかしながらこの実施の形態のように、動きベクトルメモリ４２の更新を中止して、繰り返しに係る同一フィールドで検出される動きベクトルを処理対象から除外すれば、結局、直前のフィールドを基準にして、同一フィールドに続くフィールドの動きベクトルを検出することができ、検出精度の劣化を防止することができる。
【００４９】
図３に示す構成によれば、勾配法により動きベクトルを検出して処理する際に、繰り返しに係る同一フィールドの動きベクトルを処理対象より除外することにより、動きベクトルの検出精度の低下を防止することができる。
【００５０】
（３）他の実施の形態
なお上述の実施の形態においては、単に２系統によるフィールド判定結果によりフィールドシーケンスを検出する場合について述べたが、本発明はこれに限らず、各系統によるフィールド判定結果に、図５及び図６について説明したような５フィールド周期で同一のシーケンスが繰り返される２−３プルダウン方式の規則性を利用した誤検出防止の機構を設けるようにしてもよい。
【００５１】
また上述の第１の実施の形態においては、輝度信号を処理する場合について述べたが、本発明はこれに限らず、コンポジットビデオ信号を処理する場合等にも広く適用することができる。
【００５２】
また上述の第１の実施の形態においては、前置フィルタによる帯域制限して輝度信号を処理する場合について述べたが、本発明はこれに限らず、必要に応じて省略するようにしてもよい。
【００５３】
また上述の実施の形態においては、テレシネ装置で２−３プルダウン方式により生成された６０〔フィールド／秒〕の映像信号を処理する場合について述べたが、本発明はこれに限らず、要はフィールド数を変換して生成された各種映像信号の処理に広く適用することができる。
【００５４】
【発明の効果】
上述のように本発明によれば、動きベクトルの大きさを基準にした繰り返しに係る同一フィールドの検出と、フィールド間における動きベクトル差分値を基準にした同一フィールドの直前フィールドの検出とに基づいて、例えば２−３プルダウン方式における繰り返しに係る同一フィールドを判定することにより、従来に比して一段と精度良くフィールドシーケンスを検出することができる。
【図面の簡単な説明】
【図１】本発明の第１の実施の形態に係るフィールドシーケンス検出回路を示すブロック図である。
【図２】図１のフィールドシーケンス検出回路の動作の説明に供する略線図である。
【図３】本発明の第２の実施の形態に係る動きベクトル検出回路を示すブロック図である。
【図４】２−３プルダウン方式の説明に供する略線図である。
【図５】従来のフィールドシーケンス検出回路を示すブロック図である。
【図６】従来の他の例に係るフィールドシーケンス検出回路を示すブロック図である。
【符号の説明】
１、１１、２１……フィールドシーケンス回路、２、１４……フレームメモリ、１５、４１……動きベクトル検出回路、６、１６……比較回路、２２、２６……累算比較回路、２４……差分回路、２５……比較選択回路
【図１】
0003833076.tif 000002
【図２】
0003833076.tif 000003
【図３】
0003833076.tif 000004
【図４】
0003833076.tif 000005
【図５】
0003833076.tif 000006
【図６】
0003833076.tif 000007